【手続補正書】
【提出日】平成23年2月25日(2011.2.25)
【手続補正１】
【補正対象書類名】特許請求の範囲
【補正対象項目名】全文
【補正方法】変更
【補正の内容】
【特許請求の範囲】
【請求項１】
複数の光学センサ要素を有する整合デバイスと、
該光学センサ要素に連結されたリンクであって、該リンクは、該光学センサ要素と遠隔デバイスとの間でデータを通信するように構成されている、リンクと、
該整合デバイスに連結された補強部分と
を備え、該補強部分は、付属肢の周りの変形の後に該整合デバイスの形状を維持するように構成され、そして、該光学センサ要素を該付属肢の組織に対して整合した状態に維持するように構成されている、装置。
【請求項２】
前記整合デバイスに連結された安定化構成要素をさらに含み、該安定化構成要素は、前記付属肢を係合するように構成された少なくとも１つの開口を含む、請求項１に記載の装置。
【請求項３】
前記安定化構成要素は、巻装を可能にするように構成された長さを有する、請求項２に記載の装置。
【請求項４】
前記安定化構成要素は、前記付属肢の一部を係合するように構成された整合特徴を含む、請求項２に記載の装置。
【請求項５】
前記安定化構成要素は、前記付属肢を通すように構成された開口を含む、請求項４に記載の装置。
【請求項６】
前記複数の光学センサ要素は、光源と、前記組織から光を受容するように構成された光検出器とのうちの少なくとも１つを含む、請求項１に記載の装置。
【請求項７】
前記整合デバイスは、少なくとも１つの気流の開口を含む、請求項１に記載の装置。
【請求項８】
複数の光学センサ要素を可撓性基板に取設することであって、該基板は付属肢に一致するように構成されている、ことと、
該複数の光学センサ要素を通信リンクに連結することであって、該通信リンクは、該光学センサ要素と遠隔デバイスとの間でデータを通信するように構成されている、ことと、
変形可能フレームを該可撓性基板に接続することであって、該変形可能フレームは、該可撓性基板を該付属肢と整合した状態で維持するように構成された補強部分を有する、ことと
を包含する、方法。
【請求項９】
前記複数の光学センサ要素を通信リンクに連結することは、無線送受信機および有線接続のうちの少なくとも１つに連結することを含む、請求項８に記載の方法。
【請求項１０】
前記変形可能なフレームを前記可撓性基板に接続することは、可鍛性材料を該可撓性基板の層に接続することを含む、請求項８に記載の方法。
【請求項１１】
変形可能なデバイスに連結された複数の光学センサであって、該変形可能なデバイスは、補強部分に連結され、該補強部分は、付属肢の周りの変形の後に形状を維持するように構成され、そして、該複数の光学センサを該付属肢に対して整合した状態に維持するように構成されている、光学センサと、
該複数の光学センサに連結され、該複数の光学センサとデータを通信するように構成された通信リンクと、
該通信リンクと通信する遠隔デバイスと
を備えている、システム。
【請求項１２】
前記補強部分は、金属ワイヤ、金属スタンピング、および打ち抜き部品のうちの少なくとも１つを含む、請求項１１に記載のシステム。
【請求項１３】
前記補強部分は、屈曲力を持続させた後に形状を実質的に維持するように構成されている、請求項１１に記載のシステム。
【請求項１４】
前記変形可能デバイスは、人の指に一致するように構成された湾曲部分を含む、請求項１１に記載のシステム。
【請求項１５】
前記補強部分は、指の上で折畳まれるように構成された変形可能な小翼部を含む、請求項１１に記載のシステム。
【請求項１６】
前記変形デバイスに連結された安定化構成要素をさらに含み、該安定化構成要素は、外力を前記複数の光学センサ要素から離れた付属肢に伝えるように構成される、請求項１１に記載のシステム。
【手続補正２】
【補正対象書類名】明細書
【補正対象項目名】００１０
【補正方法】変更
【補正の内容】
【００１０】
前述は、後述の発明を実施するための形態をさらに理解し得るように、本発明の特長および技術的利点を非常に広範に概略している。本発明の付加的特長および利点は、後述され、本発明の請求項の主題を形成する。当業者は、本発明の同一目的を実行するための他の構造を修正または設計する基礎として、容易に利用され得ることを理解されたい。また、当業者は、そのような同等構造が、添付の請求項に記載の本発明の精神および範囲から逸脱しないことを理解されたい。さらなる目的および利点と併せて、その編成および操作の方法の両方についての本発明の特徴であると考えられる新規特長は、付随の図面と関連して検討される場合、以下の説明からさらに理解されるであろうしかしながら、図はそれぞれ、例証および説明の目的のためだけに提供され、本発明の制限の定義として意図されるものではないことは、明示的に理解されるであろう。
例えば、本発明は以下の項目を提供する。
（項目１）
センサデバイスであって、
１つ以上のセンサ要素を担持する折畳可能部材と、
上記１つ以上のセンサ要素からデータを送信するように構成される通信リンクと、
上記折畳可能部材に係合するフレームであって、上記フレームおよび折畳可能部材はともに、初期形状からカスタマイズされた形態に変形するように適合され、上記１つ以上のセンサ要素を組織野に対し所望の配向に提供し、上記フレームは、上記折畳可能部材を上記カスタマイズされた形態に維持する、フレームと、
を備える、デバイス。
（項目２）
上記折畳可能部材に接続され、皮膚表面係合材料を覆う可撓性カバー材料
をさらに備える、項目１に記載のセンサデバイス。
（項目３）
上記通信リンクのリードと、上記１つ以上のセンサ要素との間に安定化構成要素
をさらに備える、項目１に記載のセンサデバイス。
（項目４）
上記安定化構成要素は、
上記折畳可能部材を通り、上記１つ以上のセンサ要素と上記リードとの間に配置される第１の開口を備える、項目３に記載のセンサデバイス。
（項目５）
上記安定化構成要素は、
上記折畳可能部材を通り、上記第１の開口と上記１つ以上のセンサ要素との間に配置される第２の開口と、
上記第１の開口と第２の開口との間に配置されるブリッジと、
をさらに備える、項目４に記載のセンサデバイス。
（項目６）
上記安定化構成要素は、細長い尾部を備える、項目３に記載のセンサデバイス。
（項目７）
上記尾部は、ユーザの指および前腕の周囲に巻装するように構成される、項目６に記載のセンサデバイス。
（項目８）
上記１つ以上のセンサ要素は、
光源と、
上記光源から上記組織野を通して光を受光するように構成される光検出器と、
をさらに備える、項目１に記載のセンサデバイス。
（項目９）
上記折畳可能部材は、上記１つ以上のセンサ要素から取り外し可能である、項目１に記載のセンサデバイス。
（項目１０）
上記通信リンクは、遠隔部位への有線リンクである、項目１に記載のセンサデバイス。
（項目１１）
上記通信リンクは、無線リンクである、項目１に記載のセンサデバイス。
（項目１２）
上記折畳可能部材は、
上記デバイスの下部に配置される第１の材料と、
上記デバイスの上部に配置される第２の材料と、
をさらに備える、項目１に記載のセンサデバイス。
（項目１３）
上記第１の材料は、圧縮可能材料である、項目１２に記載のセンサデバイス。
（項目１４）
上記第１の材料は、ポリウレタンフォームである、項目１３に記載のセンサデバイス。
（項目１５）
上記第２の材料は、上記第１の材料よりも密度が高い、項目１２に記載のセンサデバイス。
（項目１６）
上記フレームは、上記第１の材料と第２の材料との間に配置される、項目１２に記載のセンサデバイス。
（項目１７）
上記フレームは、上記折畳可能構成要素から分離可能かつ使い捨てである、項目１６に記載のセンサデバイス。
（項目１８）
上記フレームは、可鍛性材料から成る、項目１に記載のセンサデバイス。
（項目１９）
上記折畳可能部材は、上記折畳可能構成要素によって覆われる上記組織野に空気循環を提供するように配列される複数の開口を有する、項目１に記載のセンサデバイス。
（項目２０）
上記折畳可能部材の折畳に先立って、付属肢先端によって係合されるように適合される整合開口をさらに備える、項目１に記載のセンサデバイス。
（項目２１）
上記開口は、第１の半径と、第２の半径とを有し、上記第１の半径および上記第２の半径は、上記付属肢先端の半径に対応する、項目２０に記載のセンサデバイス。
（項目２２）
上記折畳可能部材は、
付属肢の下部と接合し、デバイスが折畳されると、上記付属肢の移動を可能にするように構成される湾曲部分をさらに備える、項目１に記載のセンサデバイス。
（項目２３）
上記湾曲部分は、上記付属肢の側部の周囲に折畳するように構成される一対の小翼の部分を画定する、項目２２に記載のセンサデバイス。
（項目２４）
上記折畳可能部材の後部は、安定化構成要素をさらに備える、項目１に記載のセンサデバイス。
（項目２５）
上記安定化構成要素は、第１の開口を備え、付属肢は、上記デバイスの折畳に先立って、上記第１の開口を通して載置される、項目２４に記載のセンサデバイス。
（項目２６）
上記安定化構成要素は、上記第１と第２の開口との間に配置されるブリッジをさらに備え、上記付属肢は、上記第２の開口を通して、上記ブリッジを越えて、そして上記第１の開口へと挿入される、項目２５に記載のセンサデバイス。
（項目２７）
上記安定化構成要素は、前腕の周囲に巻装するために十分な長さを有する巻装尾部を備える、項目２４に記載のセンサデバイス。
（項目２８）
動物の付属肢上に載置されるように構成されるセンサデバイスであって、
１つ以上のセンサ要素を担持する折畳可能部材と、
上記折畳可能部材に接続される柔軟なフレームであって、上記フレームおよび折畳可能部材は、変形力によって、付属肢と一致するように構成され、上記フレームおよび折畳可能部材は、上記１つ以上のセンサ要素を上記付属肢の組織野に近接して位置付け、上記フレームは、上記変形力の解除に応じて、上記折畳可能部材を変形された配向に維持する、フレームと
を備える、デバイス。
（項目２９）
上記折畳可能部材は、
第１の材料と、
第２の材料と、
を備え、上記第１の材料および第２の材料は、折畳されると、上記第１の材料は、上記組織野の表面に係合し、上記第２の材料は、概して、上記折畳された部材の外側に配置されるように重畳される、項目２８に記載のセンサデバイス。
（項目３０）
上記第１の材料は、発泡体タイプの材料である、項目２９に記載のセンサデバイス。
（項目３１）
上記第１の材料は、ポリウレタンフォームである、項目３０に記載のセンサデバイス。
（項目３２）
上記第２の材料は、発泡体状の材料から成り、上記第２の材料は、上記第１の材料よりも密度が高い、項目２９に記載のセンサデバイス。
（項目３３）
上記第２の材料は、上記センサデバイスのための保護層を画定する、項目３２に記載のセンサデバイス。
（項目３４）
上記折畳可能部材は、上記フレームから分離可能である、項目２８に記載のセンサデバイス。
（項目３５）
上記１つ以上のセンサと遠隔デバイスとの間に通信を提供する通信リンクをさらに備える、項目２８に記載のセンサデバイス。
（項目３６）
上記通信リンクは、有線構成要素を含む、項目３５に記載のセンサデバイス。
（項目３７）
上記通信リンクは、無線構成要素を含む、項目３５に記載のセンサデバイス。
（項目３８）
上記折畳可能部材は、
上記折畳可能部材の折畳に先立って、上記付属肢の先端によって係合されるように適合される整合開口をさらに備える、項目２８に記載のセンサデバイス。
（項目３９）
上記開口は、第１の半径と、第２の半径とを有し、上記第１の半径および上記第２の半径は、上記付属肢先端の半径に対応する、項目３８に記載のセンサデバイス。
（項目４０）
上記折畳可能部材は、
上記付属肢の下部と接合し、デバイスが折畳されると、上記付属肢の移動を可能にするように構成される湾曲部分をさらに備える、項目２８に記載のセンサデバイス。
（項目４１）
上記湾曲部分は、上記付属肢の側部の周囲に折畳するように構成される２つの小翼の部分を備える、項目４０に記載のセンサデバイス。
（項目４２）
上記折畳可能部材の後部は、安定化構成要素をさらに備える、項目２８に記載のセンサデバイス。
（項目４３）
上記安定化構成要素は、第１の開口を備え、上記付属肢は、デバイスの折畳に先立って、上記第１の開口を通して載置される、項目４２に記載のセンサデバイス。
（項目４４）
上記安定化構成要素は、
上記第１の開口に近接する第２の開口と、
上記第１と第２の開口との間に配置されるブリッジと、
をさらに備え、上記付属肢は、上記センサデバイスの適用の際、上記第２の開口を通して、上記ブリッジを越えて、そして上記第１の開口へと挿入される、項目４３に記載のセンサデバイス。
（項目４５）
上記安定化構成要素は、前腕の周囲に巻装するために十分な長さを有する巻装尾部を備える、項目４２に記載のセンサデバイス。
（項目４６）
上記センサは、
上記折畳可能部材上に配置される一対の発光ダイオードと、
上記折畳可能部材上に配置されるフォトダイオードと、
を備え、折畳されると、上記ＬＥＤおよびフォトダイオードが、上記付属肢の反対側にあるように、上記ＬＥＤおよび上記フォトダイオードは、折畳可能部材上に配列される、項目２８に記載のセンサデバイス。
（項目４７）
折畳可能センサデバイスを付属肢に取設する方法であって、
上記センサデバイスを上記付属肢の部分に載置するステップと、
上記付属肢部分上の上記センサデバイスを折畳された配向に折畳するステップと、
上記付属肢部分を上記折畳されたセンサデバイス内に保定するように、上記センサデバイスを上記折畳された配向に偏向するステップと、
を包含する、方法。
（項目４８）
上記付属肢の一部を整合開口内に載置するステップであって、上記開口は、上記付属肢の先端に対応するように定寸される、ステップをさらに包含する、項目４７に記載の方法。
（項目４９）
安定化のために、上記付属肢の部分を使用して、上記センサデバイスの安定化を提供するステップをさらに包含する、項目４８に記載の方法。
（項目５０）
安定化を提供するステップは、
上記付属肢を上記センサデバイス内の第１の開口を通して挿入するステップを包含する、項目４９に記載の方法。
（項目５１）
上記付属肢を上記センサデバイス内の第２の開口を通して挿入するステップと、
上記付属肢を上記第１と第２の開口との間に位置するブリッジ上に載置するステップと、をさらに包含する、項目５０に記載の方法。
（項目５２）
安定化を提供するステップは、
上記センサデバイスの一部を上記付属肢の周囲に巻装するステップを包含する、項目４７に記載の方法。
（項目５３）
上記センサデバイスの部分を巻装するステップは、
上記部分を患者の前腕の周囲に巻装するステップ
をさらに包含する、項目５２に記載の方法。
（項目５４）
折畳するステップは、
上記センサデバイスの一部内に配置される剛性変形可能フレームを屈曲するステップを包含する、項目４７に記載の方法。
（項目５５）
上記フレームは、使用前に、折畳されるステップに先立って、最初は、平坦形態に提供される、項目５４に記載の方法。
（項目５６）
折畳可能センサデバイスを付属肢に取設する方法であって、
光学センサ要素を上記付属肢の両側に位置付けるように、付属肢部分上の変形可能センサデバイスを屈曲するステップと、
上記付属肢部分を上記センサデバイス内に保定するように、上記センサデバイスを屈曲位置に偏向するステップと、
を包含する、方法。
（項目５７）
上記付属肢の先端部分を上記センサデバイスの整合開口内に載置するステップをさらに包含する、項目５６に記載の方法。
（項目５８）
安定化構成要素によって、上記光学センサ要素を隔離するステップであって、上記安定化構成要素は、外力を上記光学センサ要素から上記付属肢に移送する、ステップをさらに包含する、項目５６に記載の方法。
（項目５９）
隔離するステップは、
上記付属肢を上記センサデバイス内の第１の開口を通して挿入するステップを包含する、項目５８に記載の方法。
（項目６０）
上記付属肢を上記センサデバイス内の第２の開口を通して挿入するステップと、
上記付属肢を上記第１と第２の開口との間に位置するブリッジ上に載置するステップと、をさらに包含する、項目５９に記載の方法。
（項目６１）
隔離するステップは、
上記付属肢の周囲に上記センサデバイスの尾部部分を巻装するステップを包含する、項目５８に記載の方法。
（項目６２）
上記センサデバイスの部分を巻装するステップは、
上記部分を患者の前腕の周囲に巻装するステップをさらに包含する、項目６１に記載の方法。
（項目６３）
上記フレームは、使用前、折畳されるステップに先立って、最初は、平坦形態に提供される、項目５６に記載の方法。
（項目６４）
偏向するステップは、上記付属肢と接触する可鍛性フレーム係合折畳可能材料によって行なわれる、項目６２に記載の方法。
（項目６５）
酸素濃度計センサを付属肢に適合する方法であって、
上記センサデバイスの部分を上記付属肢に一致させ、光センサの要素を上記付属肢の組織野に位置付けるように、付属肢上の変形可能センサデバイスをカスタマイズされた形態に屈曲するステップと、
上記センサデバイスを上記付属肢上に、上記光センサ要素を上記組織野に保定するように、偏向要素によって、上記センサデバイスを上記カスタマイズされた形態に維持するステップと、
を包含する、方法。
（項目６６）
安定化構成要素によって、上記光学センサ要素を隔離するステップであって、上記安定化構成要素は、外力を上記光学センサ要素から上記付属肢に移送する、ステップをさらに包含する、項目６５に記載の方法。
（項目６７）
隔離するステップは、
上記付属肢を上記センサデバイス内の第１の開口を通して挿入するステップを包含する、項目６６に記載の方法。
（項目６８）
上記付属肢を上記センサデバイス内の第２の開口を通して挿入するステップと、
上記付属肢を上記第１と第２の開口との間に位置するブリッジ上に載置するステップと、をさらに包含する、項目６１に記載の方法。
（項目６９）
上記隔離するステップは、
上記センサデバイスの尾部部分を上記付属肢の周囲に巻装するステップを包含する、項目６５に記載の方法。
（項目７０）
上記偏向要素は、変形可能フレームである、項目６５に記載の方法。
（項目７１）
上記フレームは、上記センサデバイスの少なくとも一部内に封入される、項目７０に記載の方法。
（項目７２）
アセンブリであって、
複数の事前形成されたセンサデバイスであって、それぞれ、変形可能本体と、光学センサ構成要素と、通信リンクとを有し、各センサデバイスは、事前形成された形状から固有の患者の形態構造に嵌合する形態への上記本体の変形によって、使用に先立って、カスタマイズされ、各センサは、センサプロセスの際、上記センサを上記形態に維持するためのフレームを有する、センサデバイス
を備える、アセンブリ。
（項目７３）
上記センサは、略平坦である事前形成された形状に提供される、項目７２に記載のアセンブリ。
（項目７４）
上記患者の形態構造は、上記患者の付属肢に基づいて画定される、項目７２に記載のアセンブリ。
（項目７５）
センサデバイスを固有のユーザにカスタマイズする方法であって、
変形可能本体と、光学センサ構成要素と、通信リンクとを有する事前形成されたセンサデバイスに屈曲力を付与するステップであって、上記屈曲力によって、上記本体を上記ユーザの付属肢に固有の形状に変形させる、ステップと、
上記屈曲力の解除に応じて、上記変形可能本体を上記固有の形状に偏向するステップであって、上記屈曲力によって変形されたフレームに少なくとも部分的に依存する、ステップと、
を包含する、方法。
（項目７６）
屈曲力を付与するステップは、指先端の周囲に屈曲される小翼部分によって、上記本体の一部を指先端上に屈曲させる、項目７５に記載の方法。
（項目７７）
センサデバイスを製造する方法であって、
光学センサ要素を可撓性基板に取設するステップであって、上記基板は、患者の付属肢の少なくとも一部に一致するように定寸される、ステップと、
上記光学センサ要素を上記基板から延在する通信リンクに連結するステップと、
変形可能フレームを上記基板に接続するステップであって、上記フレームは、上記基板を上記患者の付属肢の部分に維持するように定寸される、ステップと、
を包含する、方法。
（項目７８）
接続するステップは、上記フレームを上記基板内に包含するステップを含む、項目７７に記載の方法。
（項目７９）
上記基板は、複数層の材料を含む、項目７７に記載の方法。
（項目８０）
センサデバイスであって、
１つ以上のセンサ要素を担持する折畳可能部材と、
上記折畳可能部材に接続される変形可能手段であって、上記変形可能手段および折畳可能部材は、変形力によって、付属肢に一致するように再構成され、上記変形可能手段および折畳可能部材は、上記１つ以上のセンサ要素を上記付属肢の組織野に近接して位置付け、上記変形可能手段は、上記変形力の解除に応じて、上記折畳可能部材を変形された配向に維持する傾向にある力を提供する、変形可能手段と、
を備える、デバイス。
（項目８１）
上記変形可能手段は、上記付属肢の先端の周囲に屈曲するように適合される可鍛性フレームを含む、項目８０に記載のセンサデバイス。
（項目８２）
上記可鍛性フレームの一部は、上記付属肢の縦軸に沿って屈曲され、上記可鍛性フレームの別の部分は、上記縦軸に垂直な軸に沿って屈曲される、項目８１に記載のセンサデバイス。